(57)【要約】【課題】  中継処理部のハードウェアリソースに依存することなく、多様な回線種別の回線ポートを収容可能な回線中継処理部のハードウェアリソースを増設することが可能なルータ装置を提供する。【解決手段】  ルータ装置（１）は、ＭＰＬＳ網においてフレームを中継し、フレームにＶＬＡＮタグを付与してフォワーディングするＰＵＳＨ処理機能と、フレームからＶＬＡＮタグを外してフォワーディングするＰＯＰ処理機能とを含む第１及び第２の回線中継処理手段（２２，２４）と、ＶＬＡＮタグが付与されたフレームを中継するＶＬＡＮスイッチ処理機能を含む中継処理手段（２３）とを備え、第１及び第２の回線中継処理手段と中継処理手段とを分離して配備している。【選択図】      図１
2011049710.tif 000002
【特許請求の範囲】
【請求項１】
ＭＰＬＳ（Ｍｕｌｔｉ  Ｐｒｏｔｏｃｏｌ  Ｌａｂｅｌ  Ｓｗｉｔｃｈｉｎｇ）網においてフレームを中継するルータ装置であって、
前記フレームにＶＬＡＮ（Ｖｉｒｔｕａｌ  Ｌｏｃａｌ  Ａｒｅａ  Ｎｅｔｗｏｒｋ）タグを付与してフォワーディングするＰＵＳＨ処理機能と、前記フレームから前記ＶＬＡＮタグを外してフォワーディングするＰＯＰ処理機能とを含む第１及び第２の回線中継処理手段と、
前記ＶＬＡＮタグが付与されたフレームを中継するＶＬＡＮスイッチ処理機能を含む中継処理手段とを有し、
前記第１及び第２の回線中継処理手段と前記中継処理手段とを分離して配備することを特徴とするルータ装置。
【請求項２】
前記第１及び第２の回線中継処理手段と前記中継処理手段との区間に内部ＶＬＡＮを利用することを特徴とする請求項１記載のルータ装置。
【請求項３】
前記第１及び第２の回線中継処理手段は、単一の回線種別を複数回線収容し、
前記中継処理手段は、当該回線中継処理手段を複数収容可能としたことを特徴とする請求項１または請求項２記載のルータ装置。
【請求項４】
前記中継処理手段は、単一の回線種別を複数回線収容する回線中継処理手段と、単一の別の回線種別を複数収容する回線中継処理手段とを組み合わせて複数収容可能としたことを特徴とする請求項１または請求項２記載のルータ装置。
【請求項５】
少なくともＥｏＭＰＬＳ［Ｅｔｈｅｒｎｅｔ（登録商標）  ｏｖｅｒ  ＭＰＬＳ］、ＡＴＭｏＭＰＬＳ（Ａｓｙｎｃｈｒｏｎｏｕｓ  Ｔｒａｎｓｆｅｒ  Ｍｏｄｅ  ｏｖｅｒ  ＭＰＬＳ）、ＴＤＭｏＭＰＬＳ（Ｔｉｍｅ  Ｄｉｖｉｓｉｏｎ  Ｍｕｌｔｉｐｌｅｘｉｎｇ  ｏｖｅｒ  ＭＰＬＳ）に用いることを特徴とする請求項３または請求項４記載のルータ装置。
【請求項６】
複数のラベル段数に対応可能としたことを特徴とする請求項１から請求項５のいずれか記載のルータ装置。
【請求項７】
前記ＶＬＡＮスイッチ処理機能は．中継処理部用フィルタの情報にしたがって前記ＶＬＡＮタグがＰＵＳＨされたＭＰＬＳフレームを転送するＶＬＡＮフィルタ処理機能を含むことを特徴とする請求項１から請求項６のいずれか記載のルータ装置。
【請求項８】
ＭＰＬＳ（Ｍｕｌｔｉ  Ｐｒｏｔｏｃｏｌ  Ｌａｂｅｌ  Ｓｗｉｔｃｈｉｎｇ）網においてフレームを中継するルータ装置に用いるスケーラビリティ拡大方法であって、
前記フレームにＶＬＡＮ（Ｖｉｒｔｕａｌ  Ｌｏｃａｌ  Ａｒｅａ  Ｎｅｔｗｏｒｋ）タグを付与してフォワーディングするＰＵＳＨ処理機能と、前記フレームから前記ＶＬＡＮタグを外してフォワーディングするＰＯＰ処理機能とを含む第１及び第２の回線中継処理手段と、前記ＶＬＡＮタグが付与されたフレームを中継するＶＬＡＮスイッチ処理機能を含む中継処理手段とを分離して配備したことを特徴とする装置内フレーム中継方法。
【請求項９】
前記第１及び第２の回線中継処理手段と前記中継処理手段との区間において内部ＶＬＡＮを利用することを特徴とする請求項８記載の装置内フレーム中継方法。
【請求項１０】
前記第１及び第２の回線中継処理手段が、単一の回線種別を複数回線収容し、
前記中継処理手段が、当該回線中継処理手段を複数収容可能としたことを特徴とする請求項８または請求項９記載の装置内フレーム中継方法。
【請求項１１】
前記中継処理手段が、単一の回線種別を複数回線収容する回線中継処理手段と、単一の別の回線種別を複数収容する回線中継処理手段とを組み合わせて複数収容可能としたことを特徴とする請求項８または請求項９記載の装置内フレーム中継方法。
【請求項１２】
少なくともＥｏＭＰＬＳ［Ｅｔｈｅｒｎｅｔ（登録商標）  ｏｖｅｒ  ＭＰＬＳ］、ＡＴＭｏＭＰＬＳ（Ａｓｙｎｃｈｒｏｎｏｕｓ  Ｔｒａｎｓｆｅｒ  Ｍｏｄｅ  ｏｖｅｒ  ＭＰＬＳ）、ＴＤＭｏＭＰＬＳ（Ｔｉｍｅ  Ｄｉｖｉｓｉｏｎ  Ｍｕｌｔｉｐｌｅｘｉｎｇ  ｏｖｅｒ  ＭＰＬＳ）に用いることを特徴とする請求項１０または請求項１１記載の装置内フレーム中継方法。
【請求項１３】
複数のラベル段数に対応可能としたことを特徴とする請求項８から請求項１２のいずれか記載の装置内フレーム中継方法。
【請求項１４】
前記ＶＬＡＮスイッチ処理機能が．中継処理部用フィルタの情報にしたがって前記ＶＬＡＮタグがＰＵＳＨされたＭＰＬＳフレームを転送するＶＬＡＮフィルタ処理機能を含むことを特徴とする請求項８から請求項１３のいずれか記載の装置内フレーム中継方法。
【発明の詳細な説明】
【技術分野】
【０００１】
本発明はルータ装置及びそれに用いる装置内フレーム中継方法に関し、特にＭＰＬＳ（Ｍｕｌｔｉ  Ｐｒｏｔｏｃｏｌ  Ｌａｂｅｌ  Ｓｗｉｔｃｈｉｎｇ）のＰＥ（Ｐｒｏｖｉｄｅｒ  Ｅｄｇｅ）ルータにおける最大ＬＳＰ（Ｌａｂｅｌ  Ｓｗｉｔｃｈｅｄ  Ｐａｔｈ）数のスケーラビリティに関する。
【背景技術】
【０００２】
本発明に関連するＭＰＬＳのＰＥルータにおける最大ＬＳＰ数のスケーラビリティの限界について図１１を参照して説明する。図１１において、ＭＰＬＳのＰＥルータ５の中継処理部（ハードウェア）５９は、その内部にＰＵＳＨ処理部及びＰＯＰ処理部を有する。
【０００３】
ここで、ＰＵＳＨ処理は、ＭＰＬＳ網への入口となるＬＥＲ（Ｌａｂｅｌ  Ｅｄｇｅ  Ｒｏｕｔｅｒ）で、フレームにラベルを付けてフォワーディングする処理であり、ＰＯＰ処理は、ＭＰＬＳ網の出口となるＬＥＲで、フレームからラベルを外してフォワーディングする処理である。
【０００４】
中継処理部５９は、回線ポート（Ａ１）６０、回線ポート（Ａ２）６１、回線ポート（Ｂ１）５７、回線ポート（Ｂ２）５８をそれぞれ収容する。中継処理部５９は、図１２に示すような内容の中継処理部用ＦＩＢ（Ｆｏｗａｒｄｉｎｇ  Ｉｎｆｏｒｍａｔｉｏｎ  Ｂａｓｅ）５４にしたがってＭＰＬＳフレーム６３の中継処理を実施している。
【０００５】
尚、図１１に示すＭＰＬＳのＰＥルータ５は、ＣＬＩ（Ｃｏｍｍａｎｄ  Ｌｉｎｅ  Ｉｎｔｅｒｆａｃｅ）処理部５１、ＬＤＰ（Ｌａｂｅｌ  Ｄｉｓｔｒｉｂｕｔｉｏｎ  Ｐｒｏｔｏｃｏｌ）処理部５２、ＲＳＶＰ−ＴＥ（ｒｅｓｏｕｒｃｅ  ｒｅｓｅｒｖａｔｉｏｎ  ｐｒｏｔｏｃｏｌ−Ｔｒａｆｆｉｃ  Ｅｎｇｉｎｅｅｒｉｎｇ）処理部５３、中継処理部用ＦＩＢ５４、経路情報処理部５５、ラベル空間管理テーブル５６、回線ポート（Ａ１）６０、回線ポート（Ａ２）６１、中継処理部５９、回線ポート（Ｂ１）５７、回線ポート（Ｂ２）５８を備えている。
【０００６】
上記のＭＰＬＳ網における中継処理については、以下ような特許文献１〜４に記載がある。
【先行技術文献】
【特許文献】
【０００７】
【特許文献１】特開２００２−１６４９３７号公報
【特許文献２】特開２００６−１８０４９４号公報
【特許文献３】特開２００６−３１１４２７号公報
【特許文献４】特開２００７−０８２２２５号公報
【発明の概要】
【発明が解決しようとする課題】
【０００８】
ＭＰＬＳのＰＥルータでは、中継処理部にてＶＬＡＮ（Ｖｉｒｔｕａｌ  Ｌｏｃａｌ  Ａｒｅａ  Ｎｅｔｗｏｒｋ）スイッチ処理とＭＰＬＳのＰＵＳＨ／ＰＯＰ処理との両方の機能を配備している。
【０００９】
このＰＵＳＨ／ＰＯＰ処理は、ＳＷＡＰ処理よりハードウェアリソースを多く消費することが当業者にとってよく知られている。ここで、ＳＷＡＰ処理は、ＬＳＲ（Ｌａｂｅｌ  Ｓｗｉｔｃｈ  Ｒｏｕｔｅｒ）で、フレームのラベルを付け替えてフォワーディングする処理である。
【００１０】
上記のＭＰＬＳのＰＥルータでは、中継処理部のＰＵＳＨ処理部およびＰＯＰ処理部によるハードウェアリソース枯渇が、ＭＰＬＳのＰＥルータの最大ＬＳＰ数のスケーラビリティの限界になるという課題がある。
【００１１】
つまり、本発明に関連するＭＰＬＳのＰＥルータ５の最大ＬＳＰ数のスケーラビリティにおいては、
（１）ＳＷＡＰ処理よりハードウェアリソースを多く消費するＰＵＳＨ処理部及びＰＯＰ処理部を有する中継処理部５９が１つであり、ハードウェアリソースの拡張に限界があるため、最大ＬＳＰ数のスケーラビリティを拡張することができない
（２）中継処理部５９が１つであるため、複数の回線種別の回線ポートをＭＰＬＳのＰＥルータ３としてサービス提供することができない
（３）回線ポート５７，５８，６０，６１を増設しても、中継処理部５９のハードウェアリソースを増設することができないため、最大ＬＳＰ数のスケーラビリティを拡張することができない
（４）ＭＰＬＳのＰＥルータの価格が高くなる
というような課題がある。
【００１２】
尚、上述した特許文献１〜４に記載の技術は、ＭＰＬＳ網における中継処理についての技術であり、上記の課題を解決することはできない。
【００１３】
そこで、本発明の目的は上記の問題点を解消し、中継処理部のハードウェアリソースに依存することなく、多様な回線種別の回線ポートを収容可能な回線中継処理部のハードウェアリソースを増設することができるルータ装置及びそれに用いる装置内フレーム中継方法を提供することにある。
【課題を解決するための手段】
【００１４】
本発明によるルータ装置は、ＭＰＬＳ（Ｍｕｌｔｉ  Ｐｒｏｔｏｃｏｌ  Ｌａｂｅｌ  Ｓｗｉｔｃｈｉｎｇ）網においてフレームを中継するルータ装置であって、
前記フレームにＶＬＡＮ（Ｖｉｒｔｕａｌ  Ｌｏｃａｌ  Ａｒｅａ  Ｎｅｔｗｏｒｋ）タグを付与してフォワーディングするＰＵＳＨ処理機能と、前記フレームから前記ＶＬＡＮタグを外してフォワーディングするＰＯＰ処理機能とを含む第１及び第２の回線中継処理手段と、
前記ＶＬＡＮタグが付与されたフレームを中継するＶＬＡＮスイッチ処理機能を含む中継処理手段とを備え、
前記第１及び第２の回線中継処理手段と前記中継処理手段とを分離して配備している。
【００１５】
本発明による装置内フレーム中継方法は、ＭＰＬＳ（Ｍｕｌｔｉ  Ｐｒｏｔｏｃｏｌ  Ｌａｂｅｌ  Ｓｗｉｔｃｈｉｎｇ）網においてフレームを中継するルータ装置に用いるスケーラビリティ拡大方法であって、
前記フレームにＶＬＡＮ（Ｖｉｒｔｕａｌ  Ｌｏｃａｌ  Ａｒｅａ  Ｎｅｔｗｏｒｋ）タグを付与してフォワーディングするＰＵＳＨ処理機能と、前記フレームから前記ＶＬＡＮタグを外してフォワーディングするＰＯＰ処理機能とを含む第１及び第２の回線中継処理手段と、前記ＶＬＡＮタグが付与されたフレームを中継するＶＬＡＮスイッチ処理機能を含む中継処理手段とを分離して配備している。
【発明の効果】
【００１６】
本発明は、上記のような構成及び動作とすることで、中継処理部のハードウェアリソースに依存することなく、多様な回線種別の回線ポートを収容可能な回線中継処理部のハードウェアリソースを増設することができるという効果が得られる。
【図面の簡単な説明】
【００１７】
【図１】本発明の第１の実施の形態によるＭＰＬＳ  ＰＥルータの構成例を示すブロック図である。
【図２】本発明の第１の実施の形態によるＭＰＬＳ  ＰＥルータにおけるＭＰＬＳフレームの流れを示す図である。
【図３】本発明の第１の実施の形態によるＭＰＬＳ  ＰＥルータにおけるＭＰＬＳフレームの流れを示す図である。
【図４】図１の中継処理部用フィルタの構成例を示す図である。
【図５】図１の回線中継処理部Ａ用ＦＩＢの構成例を示す図である。
【図６】図１の回線中継処理部Ｂ用ＦＩＢの構成例を示す図である。
【図７】図１のＭＰＬＳ  ＰＥルータの動作を示すフローチャートである。
【図８】図１のＭＰＬＳ  ＰＥルータの動作を示すフローチャートである。
【図９】図１のＭＰＬＳ  ＰＥルータの動作を示すフローチャートである。
【図１０】本発明の第２の実施の形態によるＭＰＬＳ  ＰＥルータの構成例を示すブロック図である。
【図１１】本発明に関連するＭＰＬＳ  ＰＥルータの構成例を示すブロック図である。
【図１２】図１１の中継処理部用ＦＩＢの構成例を示す図である。
【発明を実施するための形態】
【００１８】
次に、本発明の実施の形態について図面を参照して説明する。まず、本発明によるルータ装置の概略について説明する。本発明によるルータ装置は、ＭＰＬＳ（Ｍｕｌｔｉ  Ｐｒｏｔｏｃｏｌ  Ｌａｂｅｌ  Ｓｗｉｔｃｈｉｎｇ）のＰＥ（Ｐｒｏｖｉｄｅｒ  Ｅｄｇｅ）ルータに関するものである。
【００１９】
本発明によるＭＰＬＳ  ＰＥルータでは、中継処理部にてＭＰＬＳラベルのＰＵＳＨ／ＰＯＰ処理部を有している。このＰＵＳＨ／ＰＯＰ処理は、ＳＷＡＰ処理よりハードウェアリソースを多く消費することが当業者にとってよく知られている。ここで、ＰＵＳＨ処理は、ＭＰＬＳ網への入口となるＬＥＲ（Ｌａｂｅｌ  Ｅｄｇｅ  Ｒｏｕｔｅｒ）で、フレームにラベルを付けてフォワーディングする処理であり、ＰＯＰ処理は、ＭＰＬＳ網の出口となるＬＥＲで、フレームからラベルを外してフォワーディングする処理であり、ＳＷＡＰ処理は、ＬＳＲ（Ｌａｂｅｌ  Ｓｗｉｔｃｈ  Ｒｏｕｔｅｒ）で、フレームのラベルを付け替えてフォワーディングする処理である。
【００２０】
中継処理部のＰＵＳＨ処理部及びＰＯＰ処理部によるハードウェアリソース枯渇は、ＭＰＬＳ  ＰＥルータの最大ＬＳＰ（Ｌａｂｅｌ  Ｓｗｉｔｃｈｅｄ  Ｐａｔｈ）数のスケーラビリティの限界となる課題がある。
【００２１】
本発明は、ＭＰＬＳ  ＰＥルータにおいて、ＭＰＬＳのＡｔｔａｃｈｍｅｎｔ  Ｃｉｒｃｕｉｔ側の回線中継処理部にＭＰＬＳのラベル及びＶＬＡＮ（Ｖｉｒｔｕａｌ  Ｌｏｃａｌ  Ａｒｅａ  Ｎｅｔｗｏｒｋ）のＰＵＳＨ／ＰＯＰ処理部を機能配備し、ＶＬＡＮフィルタ機能を有するＶＬＡＮスイッチ処理を中継処理部に機能配備し、ＭＰＬＳ網側の回線中継処理部にＭＰＬＳフレームに対してＶＬＡＮのＰＵＳＨ／ＰＯＰ処理部を機能配備している。ここで、ＶＬＡＮのＰＵＳＨ処理とは、ＭＰＬＳフレームにＶＬＡＮタグを付与してフォワーディングする処理であり、ＶＬＡＮのＰＯＰ処理とは、ＭＰＬＳフレームからＶＬＡＮタグを外してフォワーディングする処理である。
【００２２】
さらに、本発明は、ＭＰＬＳのＡｔｔａｃｈｍｅｎｔ  Ｃｉｒｃｕｉｔ側の回線中継処理部とＭＰＬＳ網側の回線中継処理部との区間に、「内部ＶＬＡＮ」を利用することで、中継処理部がＭＰＬＳフレームの転送処理を有していなくてもＶＬＡＮフィルタ機能を有するＶＬＡＮスイッチ処理部の中継処理部にてＭＰＬＳフレームを中継することを特徴としている。
【００２３】
この時、中継処理部は、単一の回線種別を複数回線収容する回線中継処理部を複数収容可能であり、単一の回線種別を複数回線収容する回線中継処理部と、単一の別の回線種別を複数収容する回線中継処理部とを組み合わせも収容可能であることを特徴としている。
【００２４】
これによって、本発明は、中継処理部のハードウェアリソースに依存することなく、多様な回線種別の回線ポートを収容可能な回線中継処理部のハードウェアリソースを増設することができるようにしたＭＰＬＳ  ＰＥルータの最大ＬＳＰ数のスケーラビリティの拡張を提供する。また、本発明は、中継処理部にＶＬＡＮスイッチ処理を機能配備することで、ＭＰＬＳ  ＰＥルータの価格を低減している。
【００２５】
図１は本発明の第１の実施の形態によるＭＰＬＳ  ＰＥルータの構成例を示すブロック図であり、図２及び図３は本発明の第１の実施の形態によるＭＰＬＳ  ＰＥルータにおけるＭＰＬＳフレームの流れを示す図である。図２においては、回線ポート（Ｂ１）２７、回線ポート（Ｂ２）２８から回線ポート（Ａ１）２０、回線ポート（Ａ２）２１への流れを示しており、図３においては、回線ポート（Ａ１）２０、回線ポート（Ａ２）２１から回線ポート（Ｂ１）２７、回線ポート（Ｂ２）２８への流れを示している。
【００２６】
図１において、ＭＰＬＳ  ＰＥルータ１は、ＣＬＩ（Ｃｏｍｍａｎｄ  Ｌｉｎｅ  Ｉｎｔｅｒｆａｃｅ）処理部１１、ＬＤＰ（Ｌａｂｅｌ  Ｄｉｓｔｒｉｂｕｔｉｏｎ  Ｐｒｏｔｏｃｏｌ）処理部１２、ＲＳＶＰ−ＴＥ（ｒｅｓｏｕｒｃｅ  ｒｅｓｅｒｖａｔｉｏｎ  ｐｒｏｔｏｃｏｌ−Ｔｒａｆｆｉｃ  Ｅｎｇｉｎｅｅｒｉｎｇ）処理部１３、中継処理部用フィルタ１４、回線中継処理部Ａ用ＦＩＢ（Ｆｏｗａｒｄｉｎｇ  Ｉｎｆｏｒｍａｔｉｏｎ  Ｂａｓｅ）１５、回線中継処理部Ｂ用ＦＩＢ１６、経路情報処理部１７、ラベル空間管理テーブル１８、内部ＶＬＡＮ空間管理テーブル１９、回線ポート（Ａ１）２０、回線ポート（Ａ２）２１、回線中継処理部Ａ（ハードウェア）２２、中継処理部（ハードウェア）２３、回線中継処理部Ｂ（ハードウェア）２４、内部ポート（Ｃ２）２５、内部ポート（Ｃ１）２６、回線ポート（Ｂ１）２７、回線ポート（Ｂ２）２８を備えている。
【００２７】
ＭＰＬＳ  ＰＥルータ１において、経路情報処理部１７は、内部ＶＬＡＮ空間管理テーブル１９とラベル空間管理テーブル１８とによりＭＰＬＳ網（図示せず）側の回線中継処理部Ａ用ＦＩＢ１５とＭＰＬＳのＡｔｔａｃｈｍｅｎｔ  Ｃｉｒｃｕｉｔ側の回線中継処理部Ｂ用ＦＩＢ１６と中継処理部用フィルタ１４とをそれぞれ作成している。
【００２８】
また、経路情報処理部１７は、ＭＰＬＳ網側の回線中継処理部Ａ２２と、ＭＰＬＳのＡｔｔａｃｈｍｅｎｔ  Ｃｉｒｃｕｉｔ側の回線中継処理部Ｂ２４と、中継処理部２３とに、ＭＰＬＳ網側の回線中継処理部Ａ用ＦＩＢ１５とＭＰＬＳのＡｔｔａｃｈｍｅｎｔ  Ｃｉｒｃｕｉｔ側の回線中継処理部Ｂ用ＦＩＢ１６と中継処理部用フィルタ１４とをそれぞれ設定している。
【００２９】
ＭＰＬＳ網側の回線中継処理部Ａ２２は、ＭＰＬＳ網側の回線中継処理部Ａ用ＦＩＢ１５の情報にしたがってＭＰＬＳフレーム転送を実施する。ＭＰＬＳのＡｔｔａｃｈｍｅｎｔ  Ｃｉｒｃｕｉｔ側の回線中継処理部Ｂ２４は、ＭＰＬＳのＡｔｔａｃｈｍｅｎｔ  Ｃｉｒｃｕｉｔ側の回線中継処理部Ｂ用ＦＩＢ１６の情報にしたがってＭＰＬＳフレーム転送を実施する。中継処理部２３は、中継処理部用フィルタ１４の情報にしたがってＭＰＬＳフレーム転送を実施する。
【００３０】
このように、本実施の形態では、ＭＰＬＳ  ＰＥルータ１において、中継処理部２３にてＭＰＬＳのＳＷＡＰ処理を有する高価なハードウェアを使用することなく、ＶＬＡＮフィルタ機能を有するＶＬＡＮスイッチ処理によりＭＰＬＳフレームを中継することができる。
【００３１】
本実施の形態では、ＭＰＬＳ  ＰＥルータ１の機能配備を変更し、ＭＰＬＳのＡｔｔａｃｈｍｅｎｔ  Ｃｉｒｃｕｉｔ側の回線中継処理部Ｂ２４にＭＰＬＳのラベル及びＶＬＡＮのＰＵＳＨ／ＰＯＰ処理部を機能配備し、中継処理部２３にＶＬＡＮフィルタ機能を有するＶＬＡＮスイッチ処理を機能配備し、ＭＰＬＳ網側の回線中継処理部Ａ２２にＭＰＬＳフレームに対してＶＬＡＮのＰＵＳＨ／ＰＯＰ処理部を機能配備する。
【００３２】
さらに、本実施の形態では、ＭＰＬＳのＡｔｔａｃｈｍｅｎｔ  Ｃｉｒｃｕｉｔ側の回線中継処理部Ｂ２４とＭＰＬＳ網側の回線中継処理部Ａ２２の区間に内部ＶＬＡＮを利用する。
【００３３】
中継処理部２３は、ＶＬＡＮスイッチ機能のみ有しており、ＶＬＡＮタグが付与されていないＭＰＬＳフレームを中継することができない課題に直面する。この課題を解決するため、本実施の形態では、ＭＰＬＳ網側の回線中継処理部Ａ用ＦＩＢ１５とＭＰＬＳのＡｔｔａｃｈｍｅｎｔ  Ｃｉｒｃｕｉｔ側の回線中継処理部Ｂ用ＦＩＢ１６とにしたがってＶＬＡＮのＰＵＳＨ／ＰＯＰ処理を実施することで、回線中継処理部Ａ２２が中継するＭＰＬＳフレームに必ずＶＬＡＮタグを付与することにより、ＶＬＡＮスイッチ機能のみ有する中継処理部２３にてＶＬＡＮタグがＰＵＳＨされたＭＰＬＳフレームが転送可能となる。
【００３４】
中継処理部２３は、内部ポート（Ｃ１）２６と内部ポート（Ｃ２）２５とを介してＭＰＬＳ網側の回線中継処理部Ａ２２とＭＰＬＳのＡｔｔａｃｈｍｅｎｔ  Ｃｉｒｃｕｉｔ側の回線中継処理部Ｂ２４とにそれぞれ接続している。
【００３５】
回線中継処理部Ａ２２と回線中継処理部Ｂ２４とは、それぞれ内部ポート（Ｃ１）２６及び内部ポート（Ｃ２）２５を介して複数個接続することができる。そのため、中継処理部２３が単にＶＬＡＮスイッチングのみを実施すると、同一のＶＬＡＮが付与された複数の回線中継処理部Ａ２２及び複数の回線中継処理部Ｂ２４にフラッディングされ、意図しない回線中継処理部にも中継されてしまう課題に直面する。
【００３６】
この課題を解決するため、内部ＶＬＡＮを利用した回線中継処理部Ａ用ＦＩＢ１５及び回線中継処理部Ｂ用ＦＩＢ１６では、ＭＰＬＳのＬＳＰ単位でそれぞれ異なるＶＬＡＮをアサインする。かつ、中継処理部用フィルタ１４によりフラッディングすることなく、回線中継処理部に向けてＶＬＡＮタグがＰＵＳＨされたＭＰＬＳフレームを一意に転送可能となる。
【００３７】
図１において、ＣＬＩ処理部１１、ＬＤＰ処理部１２、ＲＳＶＰ−ＴＥ処理部１３は、入力ポート、出力ポート及びＭＰＬＳ処理種別の情報を付加して、経路情報処理部１７にラベルアサイン要求を行う機能を有する。
【００３８】
経路情報処理部１７は、ラベルアサイン要求に応じて、ラベル空間管理テーブル１８と内部ＶＬＡＮ空間管理テーブル１９から入力ラベル及び出力ラベルに対して各々ラベルと内部ＶＬＡＮとをアサインする機能を有する。
【００３９】
経路情報処理部１７は、アサインしたラベル及び内部ＶＬＡＮの情報を基に、中継処理部用フィルタ１４、回線中継処理部Ａ用ＦＩＢ１５、回線中継処理部Ｂ用ＦＩＢ１６を、図４〜図６に示すように作成する機能を有する。
【００４０】
経路情報処理部１７は、中継処理部用フィルタ１４、回線中継処理部Ａ用ＦＩＢ１５、回線中継処理部Ｂ用ＦＩＢ１６を中継処理部２３、回線中継処理部Ａ２２、回線中継処理部Ｂ２４にそれぞれ設定する機能を有する。
【００４１】
回線中継処理部Ｂ２４は、回線中継処理部Ｂ用ＦＩＢ１６の情報にしたがって、ＭＰＬＳのＰＵＳＨ処理及びＰＯＰ処理、ＶＬＡＮタグのＰＵＳＨ処理及びＰＯＰ処理、さらにＭＰＬＳフレーム転送機能を有する。回線中継処理部Ｂ２４は、回線ポートの種別に依存することなく、ハードウェアを増設できる機能を有する。
【００４２】
中継処理部２３は、中継処理部用フィルタ１４の情報にしたがって、ＶＬＡＮフィルタ機能によるＶＬＡＮタグがＰＵＳＨされたＭＰＬＳフレーム転送機能を有する。
【００４３】
回線中継処理部Ａ２２は、回線中継処理部Ａ用ＦＩＢ１５の情報にしたがって、ＶＬＡＮタグのＰＵＳＨ処理及びＰＯＰ処理、さらにＭＰＬＳフレーム転送機能を有する。
【００４４】
尚、本実施の形態では、回線中継処理部Ｂ用ＦＩＢ１６として、ＭＰＬＳラベル複数段を対象にＭＰＬＳのＰＵＳＨ処理及びＰＯＰ処理を実施するとしてもよい。
【００４５】
図４は図１の中継処理部用フィルタ１４の構成例を示す図であり、図５は図１の回線中継処理部Ａ用ＦＩＢ１５の構成例を示す図であり、図６は図１の回線中継処理部Ｂ用ＦＩＢ１６の構成例を示す図である。
【００４６】
図４を参照して中継処理部用フィルタ１４の構成について説明する。中継処理部用フィルタ１４は、「ＬＳＰ番号」、「受信ポート」、「受信内部ＶＬＡＮ」、「送信ポート」、「フィルタ処理」からなるテーブルである。
【００４７】
「ＬＳＰ番号」が「ＬＳＰ＃Ｘ１」の場合は、「受信ポート」として「内部ポートＣ１」、「受信内部ＶＬＡＮ」として「内部ＶＬＡＮ＃Ｘ１」、「送信ポート」として「内部ポートＣ２」、「フィルタ処理」として「転送」が格納されている。
【００４８】
「ＬＳＰ番号」が「ＬＳＰ＃Ｙ１」の場合は、「受信ポート」として「内部ポートＣ２」、「受信内部ＶＬＡＮ」として「内部ＶＬＡＮ＃Ｙ１」、「送信ポート」として「内部ポートＣ１」、「フィルタ処理」として「転送」が格納されている。
【００４９】
「ＬＳＰ番号」が「ＬＳＰ＃Ｘ２」の場合は、「受信ポート」として「内部ポートＣ１」、「受信内部ＶＬＡＮ」として「内部ＶＬＡＮ＃Ｘ２」、「送信ポート」として「内部ポートＣ２」、「フィルタ処理」として「転送」が格納されている。
【００５０】
「ＬＳＰ番号」が「ＬＳＰ＃Ｙ２」の場合は、「受信ポート」として「内部ポートＣ２」、「受信内部ＶＬＡＮ」として「外部ＶＬＡＮ＃Ｙ２」、「送信ポート」として「内部ポートＣ１」、「フィルタ処理」として「転送」が格納されている。
【００５１】
図５を参照して回線中継処理部Ａ用ＦＩＢ１５の構成について説明する。回線中継処理部Ａ用ＦＩＢ１５は、「ＬＳＰ番号」、「受信ポート」、「受信ラベル」、「受信内部ＶＬＡＮ」、「送信ポート」、「送信内部ＶＬＡＮ」、「内部ＶＬＡＮ処理」からなるテーブルである。
【００５２】
「ＬＳＰ番号」が「ＬＳＰ＃Ｘ１」の場合は、「受信ポート」として「内部ポートＣ２」、「受信ラベル」として「…」、「受信内部ＶＬＡＮ」として「内部ＶＬＡＮ＃Ｘ１」、「送信ポート」として「回線ポートＡ１」、「送信内部ＶＬＡＮ」として「…」、「内部ＶＬＡＮ処理」として「ＰＯＰ」が格納されている。
【００５３】
「ＬＳＰ番号」が「ＬＳＰ＃Ｙ１」の場合は、「受信ポート」として「回線ポートＡ１」、「受信ラベル」として「ラベルＹ１」、「受信内部ＶＬＡＮ」として「…」、「送信ポート」として「内部ポートＣ２」、「送信内部ＶＬＡＮ」として「内部ＶＬＡＮ＃Ｙ１」、「内部ＶＬＡＮ処理」として「ＰＵＳＨ」が格納されている。
【００５４】
「ＬＳＰ番号」が「ＬＳＰ＃Ｘ２」の場合は、「受信ポート」として「内部ポートＣ２」、「受信ラベル」として「…」、「受信内部ＶＬＡＮ」として「内部ＶＬＡＮ＃Ｘ２」、「送信ポート」として「回線ポートＡ２」、「送信内部ＶＬＡＮ」として「…」、「内部ＶＬＡＮ処理」として「ＰＯＰ」が格納されている。
【００５５】
「ＬＳＰ番号」が「ＬＳＰ＃Ｙ２」の場合は、「受信ポート」として「回線ポートＡ２」、「受信ラベル」として「ラベルＹ２」、「受信内部ＶＬＡＮ」として「…」、「送信ポート」として「内部ポートＣ２」、「送信内部ＶＬＡＮ」として「内部ＶＬＡＮ＃Ｙ２」、「内部ＶＬＡＮ処理」として「ＰＵＳＨ」が格納されている。
【００５６】
図６を参照して回線中継処理部Ｂ用ＦＩＢ１６の構成について説明する。回線中継処理部Ｂ用ＦＩＢ１６は、「ＬＳＰ番号」、「受信ポート」、「受信内部ＶＬＡＮ」、「送信ポート」、「送信ラベル」、「送信内部ＶＬＡＮ」、「ＭＰＬＳ処理」、「内部ＶＬＡＮ処理」からなるテーブルである。
【００５７】
「ＬＳＰ番号」が「ＬＳＰ＃Ｘ１」の場合は、「受信ポート」として「回線ポートＢ１」、「受信内部ＶＬＡＮ」として「…」、「送信ポート」として「内部ポートＣ１」、「送信ラベル」として「ラベルＸ１」、「送信内部ＶＬＡＮ」として「内部ＶＬＡＮ＃Ｘ１」、「ＭＰＬＳ処理」として「ＰＵＳＨ」、「内部ＶＬＡＮ処理」として「ＰＵＳＨ」が格納されている。
【００５８】
「ＬＳＰ番号」が「ＬＳＰ＃Ｙ１」の場合は、「受信ポート」として「内部ポートＣ１」、「受信内部ＶＬＡＮ」として「内部ＶＬＡＮ＃Ｙ１」、「送信ポート」として「回線ポートＢ１」、「送信ラベル」として「…」、「送信内部ＶＬＡＮ」として「…」、「ＭＰＬＳ処理」として「ＰＯＰ」、「内部ＶＬＡＮ処理」として「ＰＯＰ」が格納されている。
【００５９】
「ＬＳＰ番号」が「ＬＳＰ＃Ｘ２」の場合は、「受信ポート」として「回線ポートＢ２」、「受信内部ＶＬＡＮ」として「…」、「送信ポート」として「内部ポートＣ１」、「送信ラベル」として「ラベルＸ１」、「送信内部ＶＬＡＮ」として「内部ＶＬＡＮ＃Ｘ２」、「ＭＰＬＳ処理」として「ＰＵＳＨ」、「内部ＶＬＡＮ処理」として「ＰＵＳＨ」が格納されている。
【００６０】
「ＬＳＰ番号」が「ＬＳＰ＃Ｙ２」の場合は、「受信ポート」として「内部ポートＣ１」、「受信内部ＶＬＡＮ」として「内部ＶＬＡＮ＃Ｙ２」、「送信ポート」として「回線ポートＢ２」、「送信ラベル」として「…」、「送信内部ＶＬＡＮ」として「…」、「ＭＰＬＳ処理」として「ＰＯＰ」、「内部ＶＬＡＮ処理」として「ＰＯＰ」が格納されている。
【００６１】
図７〜図９は図１のＭＰＬＳ  ＰＥルータ１の動作を示すフローチャートである。これら図１〜図９を参照して本発明の第１の実施の形態によるＭＰＬＳ  ＰＥルータ１の動作について説明する。
【００６２】
ＣＬＩ処理部１１、ＬＤＰ処理部１２、ＲＳＶＰ−ＴＥ処理部１３が、入力ポート、出力ポート及びＭＰＬＳ処理種別の情報を経路情報処理部１７に与えると（図７ステップＳ１，Ｓ２）、経路情報処理部１７は、ＭＰＬＳ処理種別がＰＵＳＨ処理／ＰＯＰ処理またはＳＷＡＰ処理かを判定する（図７ステップＳ３）。
【００６３】
経路情報処理部１７は、ＭＰＬＳ処理種別を判定した結果、ＰＵＳＨ処理及びＰＯＰ処理の場合、ラベル空間管理テーブル１８と内部ＶＬＡＮ空間管理テーブル１９とから入力ラベル及び出力ラベルに対して各々のラベルと内部ＶＬＡＮとをアサインする（図７ステップＳ４）。
【００６４】
経路情報処理部１７は、アサインしたラベル及び内部ＶＬＡＮの情報を基に、中継処理部用フィルタ１４、回線中継処理部Ａ用ＦＩＢ１５、回線中継処理部Ｂ用ＦＩＢ１６を、図４〜図６に示すように作成し（図７ステップＳ５）、中継処理部２３、回線中継処理部Ａ２２、回線中継処理部Ｂ２４のハードウェアに設定する（図７ステップＳ６）。
【００６５】
次に、経路情報処理部１７は、アサインした入力ラベル及び出力ラベル各々のラベルを、ＣＬＩ処理部１１、ＬＤＰ処理部１２、ＲＳＶＰ−ＴＥ処理部１３に供給する（図７ステップＳ７）。以上の説明は、ＭＰＬＳフレーム送受信の準備終了までの動作である（図７ステップＳ８）。
【００６６】
尚、経路情報処理部１７は、ＭＰＬＳ種別を判定した結果、ＳＷＡＰ処理の場合、本発明とは直接関係しないので、その詳細な動作の説明を省略する。
【００６７】
次に、回線ポートＢ１にてＭＰＬＳカプセル化対象フレームを受信する場合の動作（図８ステップＳ１１）について説明する。
【００６８】
回線ポートＢ１がＭＰＬＳカプセル化対象フレームを受信すると（図８ステップＳ１２）、回線中継処理部Ｂ２４にＭＰＬＳカプセル化対象フレームが供給される。
【００６９】
回線中継処理部Ｂ２４は、回線中継処理部Ｂ用ＦＩＢ１６にしたがって、ラベルＸ１及び内部ＶＬＡＮ＃Ｘ１をＰＵＳＨ処理することでＭＰＬＳフレームを作成し（図８ステップＳ１３）、内部ポートＣ１に送信することで（図８ステップＳ１４）、中継処理部２３がＭＰＬＳフレームを受信する（図８ステップＳ１５）。
【００７０】
中継処理部２３は、中継処理部用フィルタ１４にしたがって、ＭＰＬＳフレームを内部ポートＣ２に送信することで（図８ステップＳ１６）、回線中経処理部Ａ２２がＭＰＬＳフレームを受信する（図８ステップＳ１７）。
【００７１】
回線中継処理部Ａ２２は、回線中継処理部Ａ用ＦＩＢ１５にしたがって、ＭＰＬＳフレームの内部ＶＬＡＮ＃Ｘ１をＰＯＰすることで、ＭＰＬＳフレームを作成する（図８ステップＳ１８）。回線中継処理部Ａ２２は、作成したＭＰＬＳフレームを回線ポートＡ１に送信することで（図８ステップＳ１９）、回線ポートＡ１からＬＳＰ＃Ｘ１のＭＰＬＳフレームが送信される（図８ステップＳ２０）。
【００７２】
続いて、ＬＳＰ＃Ｙ１のＭＰＬＳフレームを受信する場合の動作（図９ステップＳ２１）について説明する。
【００７３】
回線ポートＡ１がＭＰＬＳフレームを受信すると（図９ステップＳ２２）、回線中継処理部Ａ２２にＭＰＬＳフレームが供給される。回線中継処理部Ａ２２は、回線中継処理部Ａ用ＦＩＢ１５にしたがって、ラベルＹ１から内部ＶＬＡＮ＃Ｙ１をＰＵＳＨ処理することでＭＰＬＳフレームを作成し（図９ステップＳ２３）、内部ポートＣ２に送信することで（図９ステップＳ２４）、中継処理部２３がＭＰＬＳフレームを受信する（図９ステップＳ２５）。
【００７４】
中継処理部２３は、中継処理部用フィルタ１４にしたがって、ＭＰＬＳフレームを内部ポートＣ１に送信することで（図９ステップＳ２６）、回線中継処理部Ｂ２４がＭＰＬＳフレームを受信する（図９ステップＳ２７）。
【００７５】
回線中継処理部Ｂ２４は、回線中継処理部Ｂ用ＦＩＢ１６にしたがって、内部ＶＬＡＮ＃Ｙ１及びラベルＹ１をＰＯＰ処理することでＭＰＬＳカプセル化対象フレームを作成し（図９ステップＳ２８）、回線ポートＢ１に送信することで（図９ステップＳ２９）、回線ポートＢ１からＭＰＬＳカプセル化対象フレームが送信される（図９ステップＳ３０）。
【００７６】
このように、本実施の形態では、ＳＷＡＰ処理よりハードウェアリソースを多く消費するＰＵＳＨ処理部及びＰＯＰ処理部を有する回線中継処理部Ａ２２及び回線中継処理部Ｂ２４を、ＶＬＡＮスイッチ処理部を有する中継処理部２３と分離して配備しているので、中継処理部２３のハードウェアリソース拡張の限界に依存することなく、ＭＰＬＳ  ＰＥルータ１の最大ＬＳＰ数のスケーラビリティを拡張することができる。
【００７７】
また、本実施の形態では、ＰＵＳＨ処理部及びＰＯＰ処理部を有する回線中継処理部Ａ２２及び回線中継処理部Ｂ２４を、ＶＬＡＮスイッチ処理部を有する中継処理部２３と分離して配備しており、回線中継処理部Ａ２２及び回線中継処理部Ｂ２４のハードウェアのみ追加することができるので、中継処理部２３のハードウェアリソース拡張の限界に依存することなく、ＭＰＬＳ  ＰＥルータ１の最大ＬＳＰ数のスケーラビリティを拡張することができる。
【００７８】
さらに、本実施の形態では、中継処理部２３にてＭＰＬＳのＳＷＡＰ処理を有する高価なハードウェアを使用することなく、ＶＬＡＮフィルタ機能を有するＶＬＡＮスイッチ処理によりＭＰＬＳフレームを中継することができる。
【００７９】
一方、本実施の形態では、回線中継処理部Ｂ２４が回線ポートの種別に依存せずに、ハードウェアのみ追加することができるので、多様な回線種別をＭＰＬＳ  ＰＥルータ１としてサービス提供することができる。
【００８０】
また、本実施の形態では、回線中継処理部Ｂ２４が回線ポートの種別に依存せずに、ハードウェアのみ追加することができるので、多様な回線種別をＭＰＬＳ  ＰＥルータ１としてサービス提供しつつ、最大ＬＳＰ数のスケーラビリティを拡張することができる。
【００８１】
本発明の第２の実施の形態として、その基本的構成は上記の本発明の第１の実施の形態と同様であるが、回線中継処理部のハードウェア増設によるスケーラビリティ拡張及び価格低減についてさらに工夫している。
【００８２】
図１０は本発明の第２の実施の形態によるＭＰＬＳ  ＰＥルータの構成例を示すブロック図である。図１０において、ＭＰＬＳ  ＰＥルータ２の中継処理部２３ａは、複数の内部ポート［内部ポート（Ｃ１）２６ｃ、内部ポート（Ｅ１）２６ｅ、内部ポート（Ｇ１）２６ｇ］を介して複数の回線中継処理部Ｂ２４ａ〜２４ｃを収容する機能を有し、複数の内部ポート［内部ポート（Ｃ２）２５ａ、内部ポート（Ｄ２）２５ｂ］を介して複数の回線中継処理部Ａ２２ａ，２２ｂを収容する機能を有する。
【００８３】
回線中継処理部Ｂ２４ａは、回線ポート（Ｂ１）２７ａ、回線ポート（Ｂ２）２８ａのように、複数の回線ポートを収容することができる機能を有する。回線中継処理部Ｂ２４ａ〜２４ｃは、回線中継処理部単位で異なる回線種別の回線ポート［回線ポート（Ｂ１）２７ａ、回線ポート（Ｂ２）２８ａ、・・・、回線ポート（Ｆ１）２７ｂ、回線ポート（Ｆ２）２８ｂ］を収容することができる機能を有する。
【００８４】
このように、本実施の形態では、異なる回線種別を有する回線中継処理部のハードウェアを増設することができるので、同一及び異なる回線種別の回線ポート［回線ポート（Ｂ１）２７ａ、回線ポート（Ｂ２）２８ａ、・・・、回線ポート（Ｆ１）２７ｂ、回線ポート（Ｆ２）２８ｂ］を有するＭＰＬＳ  ＰＥルータ２の最大ＬＳＰ数のスケーラビリティを拡張することができるという効果が得られる。
【００８５】
さらに、本実施の形態では、中継処理部２３ａにてＭＰＬＳのＳＷＡＰ処理を有する高価なハードウェアを使用することなく、ＶＬＡＮフィルタ機能を有するＶＬＡＮスイッチ処理によりＭＰＬＳフレームを中継することができるという効果が得られる。
【００８６】
本実施の形態による構成において、複数の回線中継処理部Ｂ２４ａ〜２４ｃは、すべて同じ種類の回線種別の回線ポート［回線ポート（Ｂ１）２７ａ、回線ポート（Ｂ２）２８ａ、・・・、回線ポート（Ｆ１）２７ｂ、回線ポート（Ｆ２）２８ｂ］で構成してもよい。
【００８７】
つまり、本実施の形態では、複数の回線種別の回線ポートで構成できるため、ＥｏＭＰＬＳ［Ｅｔｈｅｒｎｅｔ（登録商標）  ｏｖｅｒ  ＭＰＬＳ］、ＡＴＭｏＭＰＬＳ（Ａｓｙｎｃｈｒｏｎｏｕｓ  Ｔｒａｎｓｆｅｒ  Ｍｏｄｅ  ｏｖｅｒ  ＭＰＬＳ）、ＴＤＭｏＭＰＬＳ（Ｔｉｍｅ  Ｄｉｖｉｓｉｏｎ  Ｍｕｌｔｉｐｌｅｘｉｎｇ  ｏｖｅｒ  ＭＰＬＳ）等の実施例でも最大ＬＳＰ数のスケーラビリティ拡張を実現することができる。
【００８８】
さらに、本実施の形態では、ラベル段数が複数でも対応可能であるため、ＲＦＣ（Ｒｅｑｕｅｓｔ  Ｆｏｒ  Ｃｏｍｍｅｎｔｓ）４４４７のＰＷ（Ｐｓｅｕｄｏ  Ｗｉｒｅ：擬似ワイヤ）の実施例も実現することができる。
【産業上の利用可能性】
【００８９】
本発明は、通信事業者の商用のＭＰＬＳネットワーク網にて、ＭＰＬＳのＰＥルータの最大ＬＳＰ数のスケーラビリティ拡張分野に適用することが可能である。また、本発明は、通信機器開発事業者のＭＰＬＳのＰＥルータ開発にて、価格低減にて利用することができる。
【符号の説明】
【００９０】
１，２  ＭＰＬＳ  ＰＥルータ
１１  ＣＬＩ処理部
１２  ＬＤＰ処理部
１３  ＲＳＶＰ−ＴＥ処理部
１４  中継処理部用フィルタ
１５  回線中継処理部Ａ用ＦＩＢ
１６  回線中継処理部Ｂ用ＦＩＢ
１７  経路情報処理部
１８  ラベル空間管理テーブル
１９  内部ＶＬＡＮ空間管理テーブル
２０  回線ポート（Ａ１）
２１  回線ポート（Ａ２）
２２，２２ａ，２２ｂ  回線中継処理部Ａ（ハードウェア）
２３，２３ａ  中継処理部（ハードウェア）
２４，２４ａ〜２４ｃ  回線中継処理部Ｂ（ハードウェア）
２５，２５ａ  内部ポート（Ｃ２）
２５ｂ  内部ポート（Ｄ２）
２６，２６ｃ  内部ポート（Ｃ１）
２６ｅ  内部ポート（Ｅ１）
２６ｇ  内部ポート（Ｇ１）
２７，２７ａ  回線ポート（Ｂ１）
２７ｂ  回線ポート（Ｆ１）
２８，２８ａ  回線ポート（Ｂ２）
２８ｂ  回線ポート（Ｆ２）
【図１】
2011049710.tif 000003
【図２】
2011049710.tif 000004
【図３】
2011049710.tif 000005
【図４】
2011049710.tif 000006
【図５】
2011049710.tif 000007
【図６】
2011049710.tif 000008
【図７】
2011049710.tif 000009
【図８】
2011049710.tif 000010
【図９】
2011049710.tif 000011
【図１０】
2011049710.tif 000012
【図１１】
2011049710.tif 000013
【図１２】
2011049710.tif 000014